(57)【特許請求の範囲】
【請求項１】
吸気口と上部に第１の開口部と第２の開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記第２の開口部に設けた開閉自在なフタ部材とを備え、前記ノズル部は、吹出口を備え、前記第１の開口部に着脱自在で、前記第２の開口部は前記第１の開口部より下方に配置され、前記ノズル部を前記第１の開口部から外し前記ホースを前記本体ケース内から引き出すと、前記フタ部材が前記ホースによって開けられ、前記フタ部材は、前記第２の開口部を閉じた状態で、上端から前記本体ケースにおける内方、かつ下方に延びた補助フタ部材を備えることを特徴とするふとん乾燥機。
【請求項２】
前記第１の開口部は、前記本体ケースにおける天面である天面部分と、前記本体ケースにおける一方側側面の上部である側面上部分とに配置され、前記第２の開口部は、前記側面上部分の下方に連結し、前記第２の開口部を閉じた状態で、前記フタ部材の上端は、前記ホースの根元より上方に配置され、前記フタ部材は、下部に前記フタ部材を上下方向へ回動自在に支持する回動支持部を備えたことを特徴とする請求項１に記載のふとん乾燥機。
【請求項３】
前記ノズル部の下部に傾斜面であるノズル傾斜面を備え、前記ノズル傾斜面上に補助吹出口を備え、前記ノズル傾斜面は前記補助フタ部材と平行な平面で、前記ノズル部を前記第１の開口部に収納すると、前記補助フタ部材が前記補助吹出口を閉塞する構成とすることを特徴とする請求項１または２に記載のふとん乾燥機。
【請求項４】
前記ノズル部は、前記ノズル傾斜面に突起部を備え、前記補助フタ部材は、先端に切り欠き部を備え、前記ノズル部を前記第１の開口部に収納すると、前記突起部が前記切り欠き部の中に配置されることを特徴とする請求項３に記載のふとん乾燥機。
【請求項５】
前記突起部は、先端部分に傾斜した突起先端面を備え、前記突起先端面は、前記補助フタ部材と平行な平面であることを特徴とする請求項４に記載のふとん乾燥機。
【請求項６】
前記突起部は、前記突起先端面の上方に突起先端上面を備え、前記突起先端上面は、前記突起先端面の上端から前記ノズル傾斜面まで斜め上方に延びる傾斜面であることを特徴とする請求項４に記載のふとん乾燥機。
【請求項７】
前記フタ部材は、左右方向の両端が本体ケース側に向かって狭くなる方向に傾斜する構成とすることを特徴とする請求項１から６に記載のふとん乾燥機。
【請求項８】
前記フタ部材は、弾性力を持つバネ部材を備え、前記バネ部材は、前記本体ケースと連結し、前記バネ部材により前記フタ部材を、第２の開口部を閉鎖する方向に回動させることを特徴とする請求項１から７に記載のふとん乾燥機。
【請求項９】
前記フタ部材は、下部にスリットを備え、前記バネ部材は、両端にバネ部材支持部を持ち、前記本体ケースとの連結側のバネ部材支持部は、前記フタ部材が開くと、前記スリット内に前記バネ部材支持部が入り込むことを特徴とする請求項８に記載のふとん乾燥機。
【発明の詳細な説明】
【技術分野】
【０００１】
本発明は、ふとんやベッドの乾燥や暖めに使用されるふとん乾燥機に関するものである。
【背景技術】
【０００２】
従来、この種のふとん乾燥機は、構成部品が本体ケース内に格納され、上部にふたが取り付けられたものが知られている（例えば、特許文献１参照）。
【０００３】
以下、そのふとん乾燥機について図７を参照しながら説明する。
【０００４】
図７に示すように、本体ケース１０１にファン１０２とヒータ部１０３とホース１０４を備え、ホース１０４を本体ケース１０１の外に引き出し、ホース１０４から吹出した温風を利用してふとんを乾燥している。また、収納時には、ホース１０４を本体ケース１０１内に収め、上部の収納フタ１０５を閉じる構成となっていた。
【先行技術文献】
【特許文献】
【０００５】
【特許文献１】特開２０００−２７９６９７号公報
【発明の概要】
【発明が解決しようとする課題】
【０００６】
このような従来のふとん乾燥機においては、ホースが本体ケース内に収納される構成となっていたため、本体ケースの側面を乗り越えて、上部の開口部からホースを引き出さなくてはならず、ホースの到達距離を短くするという課題を有していた。
【０００７】
そこで本発明は、上記従来の課題を解決するものであり、ホース経路の短縮により、ノズル部をより遠くまで伸ばすことが可能なふとん乾燥機を提供することを目的とする。
【課題を解決するための手段】
【０００８】
そして、この目的を達成するために、本発明に係るふとん乾燥機は、吸気口と上部に第１の開口部と第２の開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記第２の開口部に設けた開閉自在なフタ部材とを備え、前記ノズル部は、吹出口を備え、前記第１の開口部に着脱自在で、前記第２の開口部は前記第１の開口部より下方に配置され、前記ノズル部を前記第１の開口部から外し前記ホースを前記本体ケース内から引き出すと、前記フタ部材が前記ホースによって開けられ、前記フタ部材は、前記第２の開口部を閉じた状態で、上端から前記本体ケースにおける内方、かつ下方に延びた補助フタ部材を備える構成とするものであり、これにより所期の目的を達成するものである。
【発明の効果】
【０００９】
本発明によれば、吸気口と上部に第１の開口部と第２の開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記第２の開口部に設けた開閉自在なフタ部材とを備え、前記ノズル部は、吹出口を備え、前記第１の開口部に着脱自在で、前記第２の開口部は前記第１の開口部より下方に配置され、前記ノズル部を前記第１の開口部から外し前記ホースを前記本体ケース内から引き出すと、前記フタ部材が前記ホースによって開けられ、前記フタ部材は、前記第２の開口部を閉じた状態で、上端から前記本体ケースにおける内方、かつ下方に延びた補助フタ部材を備える構成とすることにより、ホースを本体ケースから引き出し、フタ部材がホースによって開けられると、第２の開口部がホースの経路となる。結果として、ホースを取り出す際の操作性を向上するとともに、ホース経路の短縮により、ノズル部をより遠くまで伸ばすことが可能となる。また、ホースを本体ケース内から引き出し、フタ部材を開けるとき、フタ部材の接触部が、ホースのノズル部先端方向に移動していく。このとき、補助フタ部材を設けることにより、ホースの凹凸がフタ部材に滑らかに接触する。結果として、使用者の操作性を向上し、ホースの劣化を防ぐことができる。
【図面の簡単な説明】
【００１０】
【図１】本発明の実施の形態のふとん乾燥機の斜視図
【図２】同ふとん乾燥機の断面図
【図３】同ふとん乾燥機におけるふとん乾燥を行う実施図
【図４】同ふとん乾燥機のフタ部材の斜視図
【図５】同ふとん乾燥機のフタ部材の動作を示す概略図
【図６】同ふとん乾燥機のノズル部の斜視図
【図７】従来のふとん乾燥機の構成を示す概略図
【発明を実施するための形態】
【００１１】
本発明に係るふとん乾燥機は、吸気口と上部に第１の開口部と第２の開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記第２の開口部に設けた開閉自在なフタ部材とを備え、前記ノズル部は、吹出口を備え、前記第１の開口部に着脱自在で、前記第２の開口部は前記第１の開口部より下方に配置され、前記ノズル部を前記第１の開口部から外し前記ホースを前記本体ケース内から引き出すと、前記フタ部材が前記ホースによって開けられ、前記フタ部材は、前記第２の開口部を閉じた状態で、上端から前記本体ケースにおける内方、かつ下方に延びた補助フタ部材を備える構成にする。
【００１２】
これにより、ホースを本体ケースから引き出し、フタ部材がホースによって開けられると、第２の開口部がホースの経路となる。結果として、ホースを取り出す際の操作性を向上するとともに、ホース経路を短縮することにより、ノズル部をより遠くまで伸ばすことが可能となる。また、ノズル部を第１の開口部に収納すると、フタ部材が本体ケースの一部となり、同時に、第２の開口部を閉鎖し、効率的に加熱された空気をノズル部に備えた吹出口から送風することができる。また、ホースを本体ケース内から引き出し、フタ部材を開けるとき、フタ部材の接触部が、ホースのノズル部先端方向に移動していく。このとき、補助フタ部材を設けることにより、ホースの凹凸がフタ部材に滑らかに接触する。結果として、使用者の操作性を向上し、ホースの劣化を防ぐことができる。
【００１３】
また、前記第１の開口部は、前記本体ケースにおける天面である天面部分と、前記本体ケースにおける一方側側面の上部である側面上部分とに配置し、前記第２の開口部は、前記側面上部分の下方に連結し、前記第２の開口部を閉じた状態で、前記フタ部材の上端は、前記ホースの根元より上方に配置し、前記フタ部材は、下部に前記フタ部材を上下方向へ回動自在に支持する回動支持部を備える構成としてもよい。
【００１４】
これにより、ホースを本体ケースから引き出すと、回動支持部を軸にフタ部材が回動し、ノズル部を回動支持部よりも下部で使用する場合でも、フタ部材を軸にホースが屈曲し、ホースに負荷をかけずにノズルを設置することができる。結果として、ホースを取り出す際の操作性を向上するとともに、ホース経路を短縮することにより、ノズル部をより遠くまで伸ばすことが可能となる。
【００１７】
また、前記ノズル部の下部に傾斜面であるノズル傾斜面を備え、前記ノズル傾斜面上に補助吹出口を備え、前記ノズル傾斜面は前記補助フタ部材と平行な平面で、前記ノズル部を前記第１の開口部に収納すると、前記補助フタ部材が前記補助吹出口を閉塞する構成としてもよい。
【００１８】
これにより、ノズル部を第１の開口部に収納すると、第２の開口部に設置されているフタ部材に備えられた補助フタ部材が、補助吹出口を閉塞する。結果として、効率的に加熱された空気を吹出口から送風することができる。
【００１９】
また、前記ノズル部は、前記ノズル傾斜面に突起部を備え、前記補助フタ部材は、先端に切り欠き部を備え、前記ノズル部を前記第１の開口部に収納すると、前記突起部が前記切り欠き部の中に配置される構成としてもよい。
【００２０】
これにより、ノズル部を正規の位置に保持することができる。結果として、本体ケースを運搬するときに、ノズル部が落下することを防ぎ、使用者の操作性を向上することが可能となる。
【００２１】
また、前記突起部は、先端部分に傾斜した突起先端面を備え、前記突起先端面は、前記補助フタ部材と平行な平面となる構成としてもよい。
【００２２】
これにより、ノズル部を第１の開口部に収納するときに、補助フタ部材と突起先端面が接触し、フタ部材が滑らかに開く。結果として、ノズル部を第１の開口部に容易に収納可能にし、使用者の操作性を向上することが可能となる。
【００２３】
また、前記突起部は、前記突起先端面の上方に突起先端上面を備え、前記突起先端上面は、前記突起先端面の上端から前記ノズル傾斜面まで斜め上方に延びる傾斜面となる構成としてもよい。
【００２４】
これにより、ノズル部を第１の開口部から取り出すときに、補助フタ部材と突起先端上面が接触し、フタ部材が滑らかに開く。結果として、フタ部材の補助フタ部材や切り欠き部に引っかかることなく取り出すことができ、使用者の操作性を向上することができる。
【００２５】
また、前記フタ部材は、左右方向の両端が本体ケース側に向かって狭くなる方向に傾斜する構成としてもよい。
【００２６】
これにより、フタ部材が閉じるときに、第２の開口部に容易に収納される。結果として、使用者の操作性を向上することができる。
【００２７】
また、前記フタ部材は、弾性力を持つバネ部材を備え、前記バネ部材は、前記本体ケースと連結し、前記バネ部材により前記フタ部材を、第２の開口部を閉鎖する方向に回動させる構成としてもよい。
【００２８】
これにより、ノズル部を第１の開口部に収納したときに、バネ部材の動力でフタ部材が回動し、ホースによって開けられていた第２の開口部が閉鎖される。結果として、使用者の操作を不要にし、かつ、補助吹出口を閉塞し、効率的に加熱された空気を吹出口から送風することができる。
【００２９】
また、前記フタ部材は、下部にスリットを備え、前記バネ部材は、両端にバネ部材支持部を持ち、前記本体ケースとの連結側のバネ部材支持部は、前記フタ部材が開くと、前記スリット内に前記バネ部材支持部が入り込む構成としてもよい。
【００３０】
これにより、バネ部材支持部がフタ部材に干渉することなくフタ部材を開くことができ、十分な開口角度を確保する。結果として、使用者の操作性を向上するとともに、ホース経路を短縮することにより、ノズル部をより遠くまで伸ばすことが可能となる。
【００３１】
以下、本発明の実施の形態について図面を参照しながら説明する。
【００３２】
（実施の形態１）
図１は、本発明の実施の形態のふとん乾燥機の斜視図である。図２は、本発明の実施の形態のふとん乾燥機の断面図である。図３は本発明の実施の形態のふとん乾燥機のふとん乾燥を行う実施図である。図３は、本体ケースからノズル部を外し、ホースを引き出した状態である。
【００３３】
本発明の実施の形態のふとん乾燥機は、図１および図３に示すように、本体ケース１は、箱形状で、側面には吸気口２を設け、上部には第１の開口部３を備えている。
【００３４】
本体ケース１の側面における、第１の開口部３の下部で吸気口２の上部には、第２の開口部４を設けている。第２の開口部４には、開閉自在なフタ部材５を設け、このフタ部材５が、本体ケース１の一部を形成している。
【００３５】
図２に示すとおり、本体ケース１内には、送風手段であるファン６と、ファン６の吹き出し空気を加熱するヒータ部７と、ヒータ部７によって加熱された空気の送風路である筒形状の屈曲自在なホース８を備えている。この種のふとん乾燥機に用いられるホース８は、針金と樹脂膜で構成されたものが一般的で、リング状の針金同士が近づいたり、離れたりすることで、伸縮や屈曲をする。樹脂膜は針金間に張られており、ホースの伸縮や屈曲の際には、折りたたまれることで、ホース８の長さを調整することが可能である。そのため、ホースの断面は凹凸を持つのが一般的である。
【００３６】
ホース８の先端に設けたノズル部９は、箱形状で、側面にはホース８から送られた加熱された空気を送り出す吹出口１０を備えている。
【００３７】
本発明の実施の形態のふとん乾燥機は、ノズル部９を本体ケース１から取り外して、ふとんの暖め、乾燥を行う場合と、ノズル部９を本体ケース１に装着した状態で、ふとん以外の靴、洗濯物乾燥を行う場合の２種類の使い方ができる。図１および図２に示すように、収納時やふとん以外の乾燥を行う場合は、ノズル部９は第１の開口部３に収められ、ノズル部９は本体ケース１の一部を形成する。
【００３８】
本体ケース１の構成をさらに詳しく説明すると、水平方向に延びた仕切板部１１を備えている。仕切板部１１によって、本体ケース１内の空間が、本体ケース１の下部である下部空間１２と、本体ケース１の上部である収納部１３とに分けられている。収納部１３は、本体ケース１の上部の第１の開口部３および側面の第２の開口部４と連通している。
【００３９】
下部空間１２には、ファン６とヒータ部７とを備え、収納部１３には、ホース８とノズル部９とを備えている。
【００４０】
図３に示すように、ふとんの暖めや乾燥を行う場合は、ノズル部９を第１の開口部３から外し、ホース８を本体ケース１から引き出し、ノズル部９を掛けふとんと敷きふとん、もしくはマットレスとの間に設置する（ふとん、マットレスは図示せず）。ふとんの暖め性能や乾燥効率を高めるために、ノズル部９には、吹出口１０のほかに、第１の補助吹出口１４ａおよび第２の補助吹出口１４ｂを持ち、吹出口１０と同様に、ヒータ部７で加熱された空気を送り出すことができる。
【００４１】
第１の補助吹出口１４ａはノズル部９の吹出口１０の下方に設け、第２の補助吹出口１４ｂはノズル部９の長手方向側面に設ける。これにより、図３に示すように、ふとん乾燥を実施する際に、より効率的に加熱された空気を送り出すことができる。図１および図２に示すように、収納時やふとん以外の乾燥を行う場合は、第２の補助吹出口１４ｂは本体ケース１によって閉塞され、効率的に加熱された空気を吹出口１０から送風することができる。
【００４２】
本実施形態における特徴は、ノズル部９を第１の開口部３から外し、ホース８を本体ケース１内から引き出すと、第２の開口部４に取り付けられたフタ部材５がホース８によって開けられる点である。このとき、第２の開口部４がホース８の経路となる。結果として、ホース８を取り出す際の操作性を向上するとともに、ホース８経路の短縮により、ノズル部９をより遠くまで伸ばすことが可能となる。
【００４３】
また、ノズル部９を第１の開口部３に収納すると、フタ部材５が本体ケース１の一部となり、同時に、第２の開口部４を閉鎖することにより、第１の補助吹出口１４ａからの送風を遮断することができる。結果として、効率的に加熱された空気をノズル部９に備えた吹出口１０から送風することができる。
【００４４】
第１の開口部３をさらに詳しく説明すると、図３に示す通り、第１の開口部３は、本体ケース１における天面である天面部分１５と本体ケース１における一方向側面の上部である側面上部分１６とで構成する。第２の開口部４の上端は側面上部分１６の下端と連結している。
【００４５】
図４はフタ部材の斜視図である。図４は、本体ケースにおける内方から見た図である。図３および図４に示すように、第２の開口部に設けたフタ部材５は、フタ部材５を支持する回動支持部１７を持つ。この回動支持部１７は、フタ部材５の左右方向側面に設けられた円孔状の貫通部で、本体ケース１より伸びた円柱状の軸部を挿入することでフタ部材５を支持する。この回動支持部１７は、フタ部材５の下部に設けられており、フタ部材５は、回動支持部１７を中心に上下方向に回動する。
【００４６】
図５は、フタ部材５の動作を詳細に示した概略図（一部省略）である。ホース８を本体ケース１から引き出し、フタ部材５を開けるとき、図５（ａ）から図５（ｂ）の状態へと徐々に移り変わり、図３のふとん等に設置する状態になる。
【００４７】
ここで、仕切板部１１は、貫通穴が開けられており、ヒータ部７とホース８の接続部が仕切板部１１で隔たれている。第２の開口部４を閉じた状態で、フタ部材５の上端は、ホース８のヒータ部７側の根元より上方に配置される。
【００４８】
これにより、ホースを本体ケースから引き出すと、回動支持部１７を軸にフタ部材が回動し、ノズル部９を回動支持部１７よりも下方で使用する場合でも、フタ部材を軸にホースが屈曲し、ホースに負荷をかけずにノズルを設置することができる。結果として、ホースを取り出す際の操作性を向上するとともに、ホース経路を短縮することにより、ノズル部をより遠くまで伸ばすことが可能となる。
【００４９】
フタ部材５をさらに詳しく説明すると、図４に示すとおり、第２の開口部４を閉じた状態で、フタ部材５は上端から本体ケース１における内方、かつ下方に延びた補助フタ部材１８を備える。図５に示すとおり、ホース８はフタ部材５の上端に設けられた補助フタ部材１８に接触することで開く。このとき、フタ部材５が回動すると同時に、ホース８とフタ部材５の接触部が、ホース８のノズル部９先端方向に移動していく。補助フタ部材１８に接触することで、フタ部材５の上端に接触することなく、ホース８の凹凸がフタ部材５に設けられた補助フタ部材１８に滑らかに接触する。結果として、ホース８がフタ部材５に引っかかることなく、引き出すことができるため、使用者の操作性を向上することができる。また、ホース８への負荷が少なくなり、ホース８の劣化を防ぐことができる。
【００５０】
図６はノズル部９の斜視図である。ノズル部９をさらに詳しく説明すると、ノズル部９の下部に傾斜面であるノズル傾斜面１９を備え、ノズル傾斜面１９上に第１の補助吹出口１４ａを備えている。ノズル傾斜面１９は、フタ部材５が閉じているとき、補助フタ部材１８と平行な平面となる。さらに、ノズル部９を第１の開口部３に収納すると、補助フタ部材１８が第１の補助吹出口１４ａを閉塞する構成とする。これにより、ノズル部９を第１の開口部３に収納すると、第１の補助吹出口１４ａが閉塞され、吹出口１０以外の開口部が閉じられる。結果として、効率的に加熱された空気をノズル部９に備えた吹出口１０から送風することができる。
【００５１】
ノズル傾斜面１９上には、図６に示すように、突起部２０を備えている。突起部２０は、ノズル傾斜面１９上の中央部に設け、突起部２０は先端部分に突起先端面２１を備え、突起先端面２１はノズル傾斜面１９と平行な平面となるように構成する。突起部２０には、さらに、突起先端面２１の上方に突起先端上面２２を備え、突起先端上面２２は、突起先端面２１からノズル傾斜面１９方向へ延びる傾斜面とする。
【００５２】
ここで、補助フタ部材１８の形状について、図４を用いてさらに詳しく説明すると、補助フタ部材１８の先端中央部分に補助フタ部材１８の面を四角く切り取った切り欠き部２３を備え、ノズル部９が第１の開口部３に収納するとき、突起部２０は切り欠き部２３の中に配置されるように設ける。これにより、突起部２０が切り欠き部２３に引っかかり、ノズル部９を正規の位置に保持することができる。結果として、本体ケース１を運搬するときに、ノズル部９が落下することを防ぎ、使用者の操作性を向上することが可能となる。
【００５３】
また、ノズル部９を第１の開口部３に収納する際には、突起先端面２１が補助フタ部材１８と接触し、フタ部材５が滑らかに開く。結果として、ノズル部９を第１の開口部３に容易に収納可能にし、使用者の操作性を向上することが可能となる。
【００５４】
また、ノズル部９を第１の開口部３から取り出すときには、補助フタ部材１８の切り欠き部２３の端面と突起先端上面２２が接触し、フタ部材５が滑らかに開く。結果として、フタ部材５の補助フタ部材１８や切り欠き部２３に引っかかることなく取り出すことができ、使用者の操作性を向上することができる。
【００５５】
フタ部材５は、図１に示すとおり、本体ケース１内に保持され、閉じた状態においては、本体ケース１と同一面上にあり、本体ケース１の一部を形成する。フタ部材５および補助フタ部材１８の左右方向の両端は、本体ケース１側に向かって狭くなる方向に傾斜する構成とする。これにより、フタ部材５が閉じるときに、第２の開口部４に容易に収納される。結果として、使用者の操作性を向上することができる。
【００５６】
フタ部材５は、回動支持部１７に加えて、図４に示すとおり、本体ケース１方向下部に、弾力性を持つバネ部材２４を備える。バネ部材２４はフタ部材５に固定され、両端にバネ部材支持部２５を持ち、一方はフタ部材５に取り付け、他方は本体ケース１と連結させ、バネの弾性力でフタ部材５を閉鎖する方向に回動させるように配置する。また、フタ部材５下端中央部には、溝状のスリット２６を設け、フタ部材５を図３のように水平よりも下部へ開く場合に、バネ部材２４の本体ケース１との連結部分がフタ部材５と干渉しないよう構成する。
【００５７】
これにより、ノズル部９を第１の開口部３に収納したときに、バネ部材２４の動力でフタ部材５が回動し、ホース８によって開けられていた第２の開口部４が閉鎖される。結果として、使用者のフタ部材５を閉じる操作を不要にし、同時に、第１の補助吹出口１４ａを閉塞する。すなわち、使用者の操作性を向上し、効率的に加熱された空気を吹出口１０から送風することができる。
【００５８】
また、フタ部材５がホース８によって開けられているときには、本体ケース１側のバネ部材支持部２５がスリット２６に入り込み、フタ部材５に干渉することなくフタ部材５を、フタ部材５の先端が回動支持部１７より下方に位置するまで開くことができ、十分な開口角度を確保する。結果として、使用者の操作性を向上するとともに、ホース８経路を短縮することにより、ノズル部９をより遠くまで伸ばすことが可能となる。
【産業上の利用可能性】
【００５９】
本発明に係るふとん乾燥機は、使用者の操作性の向上を可能とするものであるので、ふとんやベッドの乾燥や暖めに使用されるふとん乾燥機等として有用である。
【符号の説明】
【００６０】
１  本体ケース
２  吸気口
３  第１の開口部
４  第２の開口部
５  フタ部材
６  ファン
７  ヒータ部
８  ホース
９  ノズル部
１０  吹出口
１１  仕切板部
１２  下部空間
１３  収納部
１４ａ  第１の補助吹出口
１４ｂ  第２の補助吹出口
１５  天面部分
１６  側面上部分
１７  回動支持部
１８  補助フタ部材
１９  ノズル傾斜面
２０  突起部
２１  突起先端面
２２  突起先端上面
２３  切り欠き部
２４  バネ部材
２５  バネ部材支持部
２６  スリット
【図１】
0006603871.tif 000002
【図２】
0006603871.tif 000003
【図３】
0006603871.tif 000004
【図４】
0006603871.tif 000005
【図５】
0006603871.tif 000006
【図６】
0006603871.tif 000007
【図７】
0006603871.tif 000008